(57)【要約】【課題】実際の運用環境を考慮してリレーノードに対する規制を行う。【解決手段】本発明に係る移動通信方法は、無線基地局ＤｅＮＢが、アクセス規制情報を報知する工程Ａと、リレーノードＲＮが、アクセス規制情報に設定されているアクセスクラスに基づいて、「ＲＲＣ  Ｃｏｎｎｅｃｔｉｏｎ  Ｒｅｑｕｅｓｔ」を送信するか否かについて決定する工程Ｂとを有し、工程Ｂにおいて、アクセス規制情報に、リレーノード用のアクセスクラスが設定されている場合、リレーノードＲＮは、アクセス規制情報に記載されたパラメータに基づき、無線基地局ＤｅＮＢに対して、「ＲＲＣ  Ｃｏｎｎｅｃｔｉｏｎ  Ｒｅｑｕｅｓｔ」を送信すべきか否かについて決定する。【選択図】図５
2011004376.tif 000002
【特許請求の範囲】
【請求項１】
無線基地局が、アクセス規制情報を報知する工程Ａと、
リレーノードが、前記アクセス規制情報に設定されているアクセスクラスに基づいて、前記無線基地局との間のコネクションの設定を要求するためのコネクション設定要求信号を送信するか否かについて決定する工程Ｂとを有し、
前記工程Ｂにおいて、前記アクセス規制情報に、リレーノード用のアクセスクラスが設定されている場合、前記リレーノードは、前記無線基地局に対して、前記コネクション設定要求信号を送信すべきであると決定することを特徴とする移動通信方法。
【請求項２】
前記アクセス規制情報には、各アクセスクラスに対する所定係数が設定されており、
前記工程Ｂにおいて、前記リレーノードは、前記アクセス規制情報に、前記リレーノード用のアクセスクラスが設定されている場合で、かつ、自身が生成した乱数と前記リレーノード用のアクセスクラスに対する所定係数との比較結果が、所定条件を満たす場合に、前記無線基地局に対して、前記コネクション設定要求信号を送信すべきであると決定することを特徴とする請求項１に記載の移動通信方法。
【請求項３】
前記工程Ｂにおいて、前記リレーノードは、「０」以上で「１」より小さい値を取る前記乱数を生成し、前記乱数が前記所定係数よりも小さい場合に、前記比較結果が前記所定条件を満たすと判定し、
前記工程Ａにおいて、前記無線基地局は、前記リレーノード用のアクセスクラスに対する所定係数が「０」に設定されている前記アクセス規制情報を報知することを特徴とする請求項２に記載の移動通信方法。
【請求項４】
無線基地局が、リレーノード用のアクセスクラスを指定するリレーノード用アクセスクラス指定情報が設定されているアクセス規制情報を報知する工程Ａと、
リレーノードが、前記アクセス規制情報に設定されているアクセスクラスに基づいて、前記無線基地局との間のコネクションの設定を要求するためのコネクション設定要求信号を送信するか否かについて決定する工程Ｂとを有し、
前記工程Ｂにおいて、前記アクセス規制情報に、前記リレーノード用アクセスクラス指定情報によって指定されているアクセスクラスが設定されている場合、前記リレーノードは、前記無線基地局に対して、前記コネクション設定要求信号を送信すべきであると決定することを特徴とする移動通信方法。
【請求項５】
前記工程Ｂにおいて、前記リレーノードは、前記アクセス規制情報に、前記リレーノード用アクセスクラス指定情報によって指定されているアクセスクラスが設定されている場合で、かつ、自身が生成した乱数と該リレーノード用アクセスクラス指定情報によって指定されているアクセスクラスに対する所定係数との比較結果が、所定条件を満たす場合に、前記無線基地局に対して、前記コネクション設定要求信号を送信すべきであると決定することを特徴とする請求項４に記載の移動通信方法。
【請求項６】
前記工程Ｂにおいて、前記リレーノードは、「０」以上で「１」より小さい値を取る前記乱数を生成し、前記乱数が前記所定係数よりも小さい場合に、前記比較結果が前記所定条件を満たすと判定し、
前記工程Ａにおいて、前記無線基地局は、前記リレーノード用アクセスクラス指定情報によって指定されているアクセスクラスに対する所定係数が「０」に設定されている前記アクセス規制情報を報知することを特徴とする請求項５に記載の移動通信方法。
【請求項７】
無線基地局によって報知されているアクセス規制情報に設定されているアクセスクラスに基づいて、該無線基地局との間のコネクションの設定を要求するためのコネクション設定要求信号を送信するか否かについて決定するように構成されている決定部を具備し、
前記決定部は、前記アクセス規制情報に、リレーノード用のアクセスクラスが設定されている場合、前記無線基地局に対して、前記コネクション設定要求信号を送信すべきであると決定するように構成されていることを特徴とするリレーノード。
【請求項８】
前記アクセス規制情報には、各アクセスクラスに対する所定係数が設定されており、
前記決定部は、前記アクセス規制情報に、前記リレーノード用のアクセスクラスが設定されている場合で、かつ、自身が生成した乱数と前記リレーノード用のアクセスクラスに対する所定係数との比較結果が、所定条件を満たす場合に、前記無線基地局に対して、前記コネクション設定要求信号を送信すべきであると決定するように構成されていることを特徴とする請求項７に記載のリレーノード。
【請求項９】
前記決定部は、「０」以上で「１」より小さい値を取る前記乱数を生成し、前記乱数が前記所定係数よりも小さい場合に、前記比較結果が前記所定条件を満たすと判定するように構成されていることを特徴とする請求項８に記載のリレーノード。
【請求項１０】
無線基地局によって報知されているアクセス規制情報に設定されているアクセスクラスに基づいて、該無線基地局との間のコネクションの設定を要求するためのコネクション設定要求信号を送信するか否かについて決定するように構成されている決定部を具備し、
前記無線基地局が、リレーノード用のアクセスクラスを指定するリレーノード用アクセスクラス指定情報が設定されている前記アクセス規制情報を報知している場合、前記決定部は、該アクセス規制情報に、該リレーノード用アクセスクラス指定情報によって指定されているアクセスクラスが設定されている場合、前記無線基地局に対して、前記コネクション設定要求信号を送信すべきであると決定するように構成されていることを特徴とするリレーノード。
【請求項１１】
前記決定部は、前記アクセス規制情報に、前記リレーノード用アクセスクラス指定情報によって指定されているアクセスクラスが設定されている場合で、かつ、自身が生成した乱数と該リレーノード用アクセスクラス指定情報によって指定されているアクセスクラスに対する所定係数との比較結果が、所定条件を満たす場合に、前記無線基地局に対して、前記コネクション設定要求信号を送信すべきであると決定するように構成されていることを特徴とする請求項１０に記載のリレーノード。
【発明の詳細な説明】
【技術分野】
【０００１】
本発明は、移動通信方法及びリレーノードに関する。
【背景技術】
【０００２】
ＬＴＥ（Ｌｏｎｇ  Ｔｅｒｍ  Ｅｖｏｌｕｔｉｏｎ）方式の後継の通信方式であるＬＴＥ-Ａｄｖａｎｃｅｄ方式の移動通信システムでは、移動局ＵＥと無線基地局ＤｅＮＢ（Ｄｏｎｏｒ  ｅＮＢ）との間に、無線基地局ＤｅＮＢと同様な機能を具備する「リレーノード（Ｒｅｌａｙ  Ｎｏｄｅ）ＲＮ」を接続することができる。
【０００３】
かかるＬＴＥ-Ａｄｖａｎｃｅｄ方式の移動通信システムでは、移動局ＵＥとコアノードＣＮ（Ｃｏｒｅ  Ｎｏｄｅ）との間で、Ｅ-ＲＡＢ（Ｅ-ＵＴＲＡＮ  Ｒａｄｉｏ  Ａｃｃｅｓｓ  Ｂｅａｒｅｒ）が設定され、移動局ＵＥとリレーノードＲＮとの間で、Ｕｕ無線ベアラが設定され、リレーノードＲＮと無線基地局ＤｅＮＢとの間で、Ｕｎ無線ベアラが設定され、無線基地局ＤｅＮＢとコアノードＣＮとの間で、Ｓ１ベアラが設定されるように構成されている。
【先行技術文献】
【非特許文献】
【０００４】
【非特許文献１】３ＧＰＰ  ＴＳ３６.３００（Ｖ８.８.０）、「Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ（Ｅ-ＵＴＲＡ）  ａｎｄ  Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ（Ｅ-ＵＴＲＡＮ）  Ｐｈｙｓｉｃａｌ  Ｃｈａｎｎｅｌｓ」、２００９年３月
【非特許文献２】３ＧＰＰ  ＴＲ３６.８１４（Ｖ１.０.０）、「Ｆｕｒｔｈｅｒ  Ａｄｖａｎｃｅｍｅｎｔｓ  ｆｏｒ  Ｅ-ＵＴＲＡ  Ｐｈｙｓｉｃａｌ  Ｌａｙｅｒ  Ａｓｐｅｃｔｓ」、２００９年２月
【非特許文献３】３ＧＰＰ  ＴＳ３６.３３１（Ｖ８.６.０）、「Ｒａｄｉｏ Ｒｅｓｏｕｒｃｅ  Ｃｏｎｔｒｏｌ  （ＲＲＣ）；  Ｐｒｏｔｏｃｏｌ  ｓｐｅｃｉｆｉｃａｔｉｏｎ」、２００９年６月
【非特許文献４】３ＧＰＰ  Ｒ１-０８４６８６、「Ｕｐｄａｔｅｄ  ＷＦ ｏｎ  ａｄｄｒｅｓｓｉｎｇ  ｆｏｒｗａｒｄ  ｃｏｍｐａｔｉｂｉｌｉｔｙ  ｉｎ  Ｒｅｌ-８」、２００８年１１月
【発明の概要】
【発明が解決しようとする課題】
【０００５】
しかしながら、ＬＴＥ-Ａｄｖａｎｃｅｄ方式の移動通信システムでは、かかるリレーノードＲＮに対する規制をどのように行うべきかについて規定されていないという問題点があった。
【０００６】
そこで、本発明は、上述の課題に鑑みてなされたものであり、実際の運用環境を考慮してリレーノードに対する規制を行うことができる移動通信方法及びリレーノードを提供することを目的とする。
【課題を解決するための手段】
【０００７】
本発明の第１の特徴は、移動通信方法であって、無線基地局が、アクセス規制情報を報知する工程Ａと、リレーノードが、前記アクセス規制情報に設定されているアクセスクラスに基づいて、前記無線基地局との間のコネクションの設定を要求するためのコネクション設定要求信号を送信するか否かについて決定する工程Ｂとを有し、前記工程Ｂにおいて、前記アクセス規制情報に、リレーノード用のアクセスクラスが設定されている場合、前記リレーノードは、前記無線基地局に対して、前記コネクション設定要求信号を送信すべきであると決定することを要旨とする。
【０００８】
本発明の第２の特徴は、移動通信方法であって、無線基地局が、リレーノード用のアクセスクラスを指定するリレーノード用アクセスクラス指定情報が設定されているアクセス規制情報を報知する工程Ａと、リレーノードが、前記アクセス規制情報に設定されているアクセスクラスに基づいて、前記無線基地局との間のコネクションの設定を要求するためのコネクション設定要求信号を送信するか否かについて決定する工程Ｂとを有し、前記工程Ｂにおいて、前記アクセス規制情報に、前記リレーノード用アクセスクラス指定情報によって指定されているアクセスクラスが設定されている場合、前記リレーノードは、前記無線基地局に対して、前記コネクション設定要求信号を送信すべきであると決定することを要旨とする。
【０００９】
本発明の第３の特徴は、リレーノードであって、無線基地局によって報知されているアクセス規制情報に設定されているアクセスクラスに基づいて、該無線基地局との間のコネクションの設定を要求するためのコネクション設定要求信号を送信するか否かについて決定するように構成されている決定部を具備し、前記決定部は、前記アクセス規制情報に、リレーノード用のアクセスクラスが設定されている場合、前記無線基地局に対して、前記コネクション設定要求信号を送信すべきであると決定するように構成されていることを要旨とする。
【００１０】
本発明の第３の特徴は、リレーノードであって、無線基地局によって報知されているアクセス規制情報に設定されているアクセスクラスに基づいて、該無線基地局との間のコネクションの設定を要求するためのコネクション設定要求信号を送信するか否かについて決定するように構成されている決定部を具備し、前記無線基地局が、リレーノード用のアクセスクラスを指定するリレーノード用アクセスクラス指定情報が設定されている前記アクセス規制情報を報知している場合、前記決定部は、該アクセス規制情報に、該リレーノード用アクセスクラス指定情報によって指定されているアクセスクラスが設定されている場合、前記無線基地局に対して、前記コネクション設定要求信号を送信すべきであると決定するように構成されていることを要旨とする。
【発明の効果】
【００１１】
以上説明したように、本発明によれば、実際の運用環境を考慮してリレーノードに対する規制を行うことができる移動通信方法及びリレーノードを提供することができる。
【図面の簡単な説明】
【００１２】
【図１】本発明の第１の実施形態に係る移動通信システムの全体構成図である。
【図２】本発明の第１の実施形態に係るリレーノードの機能ブロック図である。
【図３】本発明の第１の実施形態に係る移動通信システムで用いられるアクセスクラスの一例について示す図である。
【図４】本発明の第１の実施形態に係る移動通信システムの動作を説明するための図である。
【図５】本発明の第１の実施形態に係るリレーノードの動作を示すフローチャートである。
【図６】本発明の第１の実施形態の変更例１に係るリレーノードの動作を示すフローチャートである。
【図７】本発明の第２の実施形態に係る移動通信システムの動作を説明するための図である。
【図８】本発明の第２の実施形態に係る移動通信システムの動作を示すシーケンス図である。
【発明を実施するための形態】
【００１３】
（本発明の第１の実施形態に係る移動通信システムの構成）
図１乃至図３を参照して、本発明の第１の実施形態に係る移動通信システムの構成について説明する。
【００１４】
図１に示すように、本実施形態に係る移動通信システムは、ＬＴＥ-Ａｄｖａｎｃｅｄ方式の移動通信システムであって、コアネットワークノード内のコアノード（例えば、ゲートウェイ装置Ｓ-ＧＷや交換局ＭＭＥ等）や、無線基地局ＤｅＮＢや、リレーノードＲＮ等を具備している。
【００１５】
ここで、本実施形態に係る移動通信システムでは、無線基地局ＤｅＮＢと移動局ＵＥ＃１との間で、Ｕｕ無線ベアラが設定可能であり、無線基地局ＤｅＮＢとリレーノードＲＮとの間で、Ｕｎ無線ベアラが設定可能であり、リレーノードＲＮと移動局ＵＥ＃２との間で、Ｕｕ無線ベアラが設定可能である。
【００１６】
図２に示すように、リレーノードＲＮは、受信部１１と、決定部１２と、送信部１３とを具備している。
【００１７】
受信部１１は、無線基地局ＤｅＮＢや他のリレーノードＲＮや移動局ＵＥによって送信された信号を受信するように構成されている。
【００１８】
送信部１３は、無線基地局ＤｅＮＢや他のリレーノードＲＮや移動局ＵＥに対して信号を送信するように構成されている。
【００１９】
決定部１２は、無線基地局ＤｅＮＢによって報知されているアクセス規制情報に設定されているパラメータ、例えば、アクセスクラス（ＡＣ：Ａｃｃｅｓｓ  Ｃｌａｓｓ）に基づいて、無線基地局ＤｅＮＢに対して、ＲＲＣコネクションの設定を要求するための「ＲＲＣ  Ｃｏｎｎｅｃｔｉｏｎ  Ｒｅｑｕｅｓｔ（コネクション設定要求信号）」を送信するか否かについて決定するように構成されている。
【００２０】
本実施形態に係る移動通信システムでは、図３に示すように、「ＡＣ＝０〜１５」が、移動局用のアクセスクラスとなっており、「ＡＣ＝１６」が、リレーノード用のアクセスクラスとなっている。決定部１２は、少なくともリレーノード用のアクセスクラスについて管理するように構成されている。
【００２１】
ここで、決定部１２は、上述のアクセス規制情報に「リレーノード用のアクセスクラス（例えば、ＡＣ＝１６）」が設定されている場合、無線基地局ＤｅＮＢに対して、「ＲＲＣ  Ｃｏｎｎｅｃｔｉｏｎ  Ｒｅｑｕｅｓｔ」を送信すべきであると決定するように構成されている。
【００２２】
また、上述のアクセス規制情報には、各アクセスクラスに対する「ＢａｒｒｉｎｇＦａｃｔｏｒ（所定係数）」が設定されており、決定部１２は、受信したアクセス規制情報に「リレーノード用のアクセスクラス（例えば、ＡＣ＝１６）」が設定されている場合で、かつ、自身が生成した乱数と「リレーノード用のアクセスクラス（例えば、ＡＣ＝１６）」に対する「ＢａｒｒｉｎｇＦａｃｔｏｒ」との比較結果が、所定条件を満たす場合に、無線基地局ＤｅＮＢに対して、「ＲＲＣ  Ｃｏｎｎｅｃｔｉｏｎ  Ｒｅｑｕｅｓｔ」を送信すべきであると決定するように構成されていてもよい。
【００２３】
具体的には、決定部１２は、「０」以上で「１」より小さい値を取る乱数を生成し、かかる乱数が「リレーノード用のアクセスクラス（例えば、ＡＣ＝１６）」に対する「ＢａｒｒｉｎｇＦａｃｔｏｒ」よりも小さい場合に、上述の比較結果が上述の所定条件を満たすと判定するように構成されていてもよい。
【００２４】
（本発明の第１の実施形態に係る移動通信システムの動作）
図４及び図５を参照して、本発明の第１の実施形態に係る移動通信システムの動作について説明する。
【００２５】
具体的には、図４及び図５を参照して、災害対策用等としてリレーノードＲＮが設置されたケース（ケース１）における本発明の第１の実施形態に係る移動通信システムの動作について説明する。
【００２６】
ケース１では、図４に示すように、移動局ＵＥに対して発信規制が行われている場合であっても、リレーノードＲＮは、必ず無線基地局ＤｅＮＢに接続できるように構成されているものとする。
【００２７】
図５に示すように、リレーノードＲＮは、ステップＳ１０１において、無線基地局ＤｅＮＢによって報知されているアクセス規制情報に「リレーノード用のアクセスクラス（例えば、ＡＣ＝１６）」が設定されているか否かについて判定する。
【００２８】
かかるアクセス規制情報に「リレーノード用のアクセスクラス（例えば、ＡＣ＝１６）」が設定されていると判定された場合、本動作は、ステップＳ１０２に進む。
【００２９】
ステップＳ１０２において、リレーノードＲＮは、所定アルゴリズムによって乱数を生成し、かかる乱数が「リレーノード用のアクセスクラス（例えば、ＡＣ＝１６）」に対する「ＢａｒｒｉｎｇＦａｃｔｏｒ」よりも小さい場合、無線基地局ＤｅＮＢに対して、「ＲＲＣ  Ｃｏｎｎｅｃｔｉｏｎ  Ｒｅｑｕｅｓｔ」を送信する。
【００３０】
ここで、かかる乱数の値は、「０」以上で「１」より小さい値であり、無線基地局ＤｅＮＢによって報知されているアクセス規制情報に設定されている「リレーノード用のアクセスクラス（例えば、ＡＣ＝１６）」に対する「ＢａｒｒｉｎｇＦａｃｔｏｒ」は、「１」であることが好ましい。
【００３１】
（本発明の第１の実施形態に係る移動通信システムの作用・効果）
本発明の第１の実施形態に係る移動通信システムによれば、上述のケース１において、移動局ＵＥに対する発信規制が行われている場合であっても、リレーノードＲＮが、必ず「ＲＲＣ  Ｃｏｎｎｅｃｔｉｏｎ  Ｒｅｑｕｅｓｔ」を送信するように構成されているため、無線基地局ＤｅＮＢとリレーノードＲＮとの間のＲＲＣコネクションを確立することができる。
【００３２】
（変更例１）
図６を参照して、本発明の第１の実施形態の変更例１に係る移動通信システムについて説明する。以下、本変更例１に係る移動通信システムについて、上述の本発明の第１の実施形態に係る移動通信システムとの相違点に着目して説明する。
【００３３】
本変更例１に係る移動通信システムでは、無線基地局ＤｅＮＢが、リレーノード用のアクセスクラスを指定する「ａｃ-ＢａｒｒｉｎｇＦｏｒｒｎ-Ｓｅｔｕｐ（リレーノード用アクセスクラス指定情報）」が設定されているアクセス規制情報を報知している場合、リレーノードＲＮの決定部１２は、受信したアクセス規制情報に「ａｃ-ＢａｒｒｉｎｇＦｏｒｒｎ-Ｓｅｔｕｐ」によって指定されているアクセスクラスが設定されている場合、無線基地局ＤｅＮＢに対して、「ＲＲＣ  Ｃｏｎｎｅｃｔｉｏｎ  Ｒｅｑｕｅｓｔ」を送信すべきであると決定するように構成されている。
【００３４】
ここで、決定部１２は、アクセス規制情報に「ａｃ-ＢａｒｒｉｎｇＦｏｒｒｎ-Ｓｅｔｕｐ」によって指定されているアクセスクラスが設定されている場合で、かつ、自身が生成した乱数と「ａｃ-ＢａｒｒｉｎｇＦｏｒｒｎ-Ｓｅｔｕｐ」によって指定されているアクセスクラスに対する「ＢａｒｒｉｎｇＦａｃｔｏｒ」との比較結果が、所定条件を満たす場合に、無線基地局ＤｅＮＢに対して、「ＲＲＣ  Ｃｏｎｎｅｃｔｉｏｎ  Ｒｅｑｕｅｓｔ」を送信すべきであると決定するように構成されていてもよい。
【００３５】
具体的には、決定部１２は、「０」以上で「１」より小さい値を取る乱数を生成し、かかる乱数が「ａｃ-ＢａｒｒｉｎｇＦｏｒｒｎ-Ｓｅｔｕｐ」によって指定されているアクセスクラスに対する「ＢａｒｒｉｎｇＦａｃｔｏｒ」よりも小さい場合に、上述の比較結果が上述の所定条件を満たすと判定するように構成されていてもよい。
【００３６】
以下、図６を参照して、本変更例１に係る移動通信システムの動作について説明する。具体的には、図６を参照して、上述のケース１における本発明の第１の実施形態に係る移動通信システムの動作について説明する。
【００３７】
図６に示すように、ステップＳ２０１において、リレーノードＲＮは、無線基地局ＤｅＮＢによって報知されているアクセス規制情報に設定されている「ａｃ-ＢａｒｒｉｎｇＦｏｒｒｎ-Ｓｅｔｕｐ」によって指定されているアクセスクラスを検出する。
【００３８】
ステップＳ２０２において、リレーノードＲＮは、アクセス規制情報に「ａｃ-ＢａｒｒｉｎｇＦｏｒｒｎ-Ｓｅｔｕｐ」によって指定されているアクセスクラスが設定されているか否かについて判定する。
【００３９】
かかるアクセス規制情報に「ａｃ-ＢａｒｒｉｎｇＦｏｒｒｎ-Ｓｅｔｕｐ」によって指定されているアクセスクラスが設定されていると判定された場合、本動作は、ステップＳ２０３に進む。
【００４０】
ステップＳ２０３において、リレーノードＲＮは、所定アルゴリズムによって乱数を生成し、かかる乱数が「ａｃ-ＢａｒｒｉｎｇＦｏｒｒｎ-Ｓｅｔｕｐ」によって指定されているアクセスクラスに対する「ＢａｒｒｉｎｇＦａｃｔｏｒ」よりも小さい場合、無線基地局ＤｅＮＢに対して、「ＲＲＣ  Ｃｏｎｎｅｃｔｉｏｎ  Ｒｅｑｕｅｓｔ」を送信する。
【００４１】
ここで、かかる乱数の値は、「０」以上で「１」より小さい値であり、無線基地局ＤｅＮＢによって報知されているアクセス規制情報に設定されている「ａｃ-ＢａｒｒｉｎｇＦｏｒｒｎ-Ｓｅｔｕｐ」によって指定されているアクセスクラスに対する「ＢａｒｒｉｎｇＦａｃｔｏｒ」は、「１」であることが好ましい。
【００４２】
（本発明の第２の実施形態に係る移動通信システム）
図７及び図８を参照して、本発明の第２の実施形態に係る移動通信システムについて説明する。以下、本発明の第２の実施形態に係る移動通信システムについて、上述の本発明の第１の実施形態に係る移動通信システムとの相違点に着目して説明する。
【００４３】
本実施形態では、複数のリレーノードＲＮが接続されること、すなわち、リレーノードＲＮのマルチホップを禁止されているケース（ケース２）を想定する。
【００４４】
ケース２では、図７に示すように、リレーノードＲＮは、無線基地局ＤｅＮＢと接続できる一方、他のリレーノードＲＮとは接続できないように構成されているものとする。また、ケース２では、移動局ＵＥに対する発信規制が行われていないものとする。
【００４５】
図８に示すように、ステップＳ１００１において、無線基地局ＤｅＮＢは、「リレーノード用のアクセスクラス（例えば、ＡＣ＝１６）」に対する「ＢａｒｒｉｎｇＦａｃｔｏｒ」が「０」に設定されているアクセス規制情報を報知する。
【００４６】
或いは、ステップＳ１００１において、無線基地局ＤｅＮＢは、「ａｃ-ＢａｒｒｉｎｇＦｏｒｒｎ-Ｓｅｔｕｐ」によって指定されているアクセスクラスに対する「ＢａｒｒｉｎｇＦａｃｔｏｒ」が「０」に設定されているアクセス規制情報を報知してもよい。
【００４７】
ステップＳ１００２において、リレーノードＲＮは、自身が生成した乱数が「リレーノード用のアクセスクラス（例えば、ＡＣ＝１６）」に対する「ＢａｒｒｉｎｇＦａｃｔｏｒ」よりも小さいか否かについて判定する。
【００４８】
或いは、ステップＳ１００２において、リレーノードＲＮは、自身が生成した乱数が「ａｃ-ＢａｒｒｉｎｇＦｏｒｒｎ-Ｓｅｔｕｐ」によって指定されているアクセスクラスに対する「ＢａｒｒｉｎｇＦａｃｔｏｒ」よりも小さいか否かについて判定する。
【００４９】
ここで、かかる「ＢａｒｒｉｎｇＦａｃｔｏｒ」が「０」と設定されているため、リレーノードＲＮは、自身が生成した乱数が、かかる「ＢａｒｒｉｎｇＦａｃｔｏｒ」よりも小さくないと判定し、ステップＳ１００３において、「ＲＲＣ  Ｃｏｎｎｅｃｔｉｏｎ  Ｒｅｑｕｅｓｔ」を送信すべきではないと決定する。
【００５０】
本発明の第２の実施形態に係る移動通信システムでによれば、上述のケース２において、リレーノードＲＮが、無線基地局ＤｅＮＢと勘違いしている場合であっても、リレーノードＲＮによる「ＲＲＣ  Ｃｏｎｎｅｃｔｉｏｎ  Ｒｅｑｕｅｓｔ」を規制することによって、リレーノードＲＮのマルチホップを確実に回避することができる。
【００５１】
以上に述べた本実施形態の特徴は、以下のように表現されていてもよい。
【００５２】
本実施形態の第１の特徴は、移動通信方法であって、無線基地局ＤｅＮＢが、アクセス規制情報を報知する工程Ａと、リレーノードＲＮが、アクセス規制情報に設定されているアクセスクラスに基づいて、無線基地局ＤｅＮＢとの間のＲＲＣコネクション（コネクション）の設定を要求するための「ＲＲＣ  Ｃｏｎｎｅｃｔｉｏｎ  Ｒｅｑｕｅｓｔ（コネクション設定要求信号）」を送信するか否かについて決定する工程Ｂとを有し、工程Ｂにおいて、アクセス規制情報に「リレーノード用のアクセスクラス（例えば、ＡＣ＝１６）」が設定されている場合、リレーノードＲＮは、無線基地局ＤｅＮＢに対して、「ＲＲＣ  Ｃｏｎｎｅｃｔｉｏｎ  Ｒｅｑｕｅｓｔ」を送信すべきであると決定することを要旨とする。
【００５３】
本実施形態の第１の特徴において、アクセス規制情報には、各アクセスクラスに対する「ＢａｒｒｉｎｇＦａｃｔｏｒ（所定係数）」が設定されており、工程Ｂにおいて、リレーノードＲＮは、アクセス規制情報に「リレーノード用のアクセスクラス（例えば、ＡＣ＝１６）」が設定されている場合で、かつ、自身が生成した乱数と「リレーノード用のアクセスクラス（例えば、ＡＣ＝１６）」に対する「ＢａｒｒｉｎｇＦａｃｔｏｒ」との比較結果が、所定条件を満たす場合に、無線基地局ＤｅＮＢに対して、「ＲＲＣ  Ｃｏｎｎｅｃｔｉｏｎ  Ｒｅｑｕｅｓｔ」を送信すべきであると決定してもよい。
【００５４】
本実施形態の第１の特徴において、工程Ｂにおいて、リレーノードＲＮは、「０」以上で「１」より小さい値を取る乱数を生成し、かかる乱数が「リレーノード用のアクセスクラス（例えば、ＡＣ＝１６）」に対する「ＢａｒｒｉｎｇＦａｃｔｏｒ」よりも小さい場合に、上述の比較結果が上述の所定条件を満たすと判定し、工程Ａにおいて、無線基地局ＤｅＮＢは、「リレーノード用のアクセスクラス（例えば、ＡＣ＝１６）」に対する「ＢａｒｒｉｎｇＦａｃｔｏｒ」が「０」に設定されているアクセス規制情報を報知してもよい。
【００５５】
本実施形態の第２の特徴は、移動通信方法であって、無線基地局ＤｅＮＢが、リレーノード用のアクセスクラスを指定する「ａｃ-ＢａｒｒｉｎｇＦｏｒｒｎ-Ｓｅｔｕｐ（リレーノード用アクセスクラス指定情報）」が設定されているアクセス規制情報を報知する工程Ａと、リレーノードＲＮが、アクセス規制情報に設定されているアクセスクラスに基づいて、「ＲＲＣ  Ｃｏｎｎｅｃｔｉｏｎ  Ｒｅｑｕｅｓｔ」を送信するか否かについて決定する工程Ｂとを有し、工程Ｂにおいて、アクセス規制情報に「ａｃ-ＢａｒｒｉｎｇＦｏｒｒｎ-Ｓｅｔｕｐ」によって指定されているアクセスクラスが設定されている場合、リレーノードＲＮは、無線基地局ＤｅＮＢに対して、「ＲＲＣ  Ｃｏｎｎｅｃｔｉｏｎ  Ｒｅｑｕｅｓｔ」を送信すべきであると決定することを要旨とする。
【００５６】
本実施形態の第２の特徴において、工程Ｂにおいて、リレーノードＲＮは、アクセス規制情報に「ａｃ-ＢａｒｒｉｎｇＦｏｒｒｎ-Ｓｅｔｕｐ」によって指定されているアクセスクラスが設定されている場合で、かつ、自身が生成した乱数と「ａｃ-ＢａｒｒｉｎｇＦｏｒｒｎ-Ｓｅｔｕｐ」によって指定されているアクセスクラスに対する「ＢａｒｒｉｎｇＦａｃｔｏｒ」との比較結果が、所定条件を満たす場合に、無線基地局ＤｅＮＢに対して、「ＲＲＣ  Ｃｏｎｎｅｃｔｉｏｎ  Ｒｅｑｕｅｓｔ」を送信すべきであると決定してもよい。
【００５７】
本実施形態の第２の特徴において、工程Ｂにおいて、リレーノードＲＮは、「０」以上で「１」より小さい値を取る乱数を生成し、かかる乱数が「ａｃ-ＢａｒｒｉｎｇＦｏｒｒｎ-Ｓｅｔｕｐ」によって指定されているアクセスクラスに対する「ＢａｒｒｉｎｇＦａｃｔｏｒ」よりも小さい場合に、上述の比較結果が上述の所定条件を満たすと判定し、工程Ａにおいて、無線基地局ＤｅＮＢは、「ａｃ-ＢａｒｒｉｎｇＦｏｒｒｎ-Ｓｅｔｕｐ」によって指定されているアクセスクラスに対する「ＢａｒｒｉｎｇＦａｃｔｏｒ」が「０」に設定されているアクセス規制情報を報知してもよい。
【００５８】
本実施形態の第３の特徴は、リレーノードＲＮであって、無線基地局ＤｅＮＢによって報知されているアクセス規制情報に設定されているアクセスクラスに基づいて、「ＲＲＣ  Ｃｏｎｎｅｃｔｉｏｎ  Ｒｅｑｕｅｓｔ」を送信するか否かについて決定するように構成されている決定部１２を具備し、決定部１２は、アクセス規制情報に「リレーノード用のアクセスクラス（例えば、ＡＣ＝１６）」が設定されている場合、無線基地局ＤｅＮＢに対して、「ＲＲＣ  Ｃｏｎｎｅｃｔｉｏｎ  Ｒｅｑｕｅｓｔ」を送信すべきであると決定するように構成されていることを要旨とする。
【００５９】
本実施形態の第３の特徴において、アクセス規制情報には、各アクセスクラスに対する「ＢａｒｒｉｎｇＦａｃｔｏｒ」が設定されており、決定部１２は、アクセス規制情報に「リレーノード用のアクセスクラス（例えば、ＡＣ＝１６）」が設定されている場合で、かつ、自身が生成した乱数と「リレーノード用のアクセスクラス（例えば、ＡＣ＝１６）」に対する「ＢａｒｒｉｎｇＦａｃｔｏｒ」との比較結果が、所定条件を満たす場合に、無線基地局ＤｅＮＢに対して、「ＲＲＣ  Ｃｏｎｎｅｃｔｉｏｎ  Ｒｅｑｕｅｓｔ」を送信すべきであると決定するように構成されていてもよい。
【００６０】
本実施形態の第３の特徴において、決定部１２は、「０」以上で「１」より小さい値を取る乱数を生成し、かかる乱数が「リレーノード用のアクセスクラス（例えば、ＡＣ＝１６）」に対する「ＢａｒｒｉｎｇＦａｃｔｏｒ」よりも小さい場合に、上述の比較結果が上述の所定条件を満たすと判定するように構成されていてもよい。
【００６１】
本実施形態の第４の特徴は、リレーノードＲＮであって、無線基地局ＤｅＮＢによって報知されているアクセス規制情報に設定されているアクセスクラスに基づいて、「ＲＲＣ  Ｃｏｎｎｅｃｔｉｏｎ  Ｒｅｑｕｅｓｔ」を送信するか否かについて決定するように構成されている決定部１２を具備し、無線基地局ＤｅＮＢが、リレーノード用のアクセスクラスを指定する「ａｃ-ＢａｒｒｉｎｇＦｏｒｒｎ-Ｓｅｔｕｐ」が設定されているアクセス規制情報を報知している場合、決定部１２は、アクセス規制情報に「ａｃ-ＢａｒｒｉｎｇＦｏｒｒｎ-Ｓｅｔｕｐ」によって指定されているアクセスクラスが設定されている場合、無線基地局ＤｅＮＢに対して、「ＲＲＣ  Ｃｏｎｎｅｃｔｉｏｎ  Ｒｅｑｕｅｓｔ」を送信すべきであると決定するように構成されていることを要旨とする。
【００６２】
本実施形態の第４の特徴において、決定部１２は、アクセス規制情報に「ａｃ-ＢａｒｒｉｎｇＦｏｒｒｎ-Ｓｅｔｕｐ」によって指定されているアクセスクラスが設定されている場合で、かつ、自身が生成した乱数と「ａｃ-ＢａｒｒｉｎｇＦｏｒｒｎ-Ｓｅｔｕｐ」によって指定されているアクセスクラスに対する「ＢａｒｒｉｎｇＦａｃｔｏｒ」との比較結果が、所定条件を満たす場合に、無線基地局ＤｅＮＢに対して、「ＲＲＣ  Ｃｏｎｎｅｃｔｉｏｎ  Ｒｅｑｕｅｓｔ」を送信すべきであると決定するように構成されていてもよい。
【００６３】
なお、上述の無線基地局ＤｅＮＢやリレーノードＲＮや移動局ＵＥの動作は、ハードウェアによって実施されてもよいし、プロセッサによって実行されるソフトウェアモジュールによって実施されてもよいし、両者の組み合わせによって実施されてもよい。
【００６４】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００６５】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、無線基地局ＤｅＮＢやリレーノードＲＮや移動局ＵＥ内に設けられていてもよい。また、かかる記憶媒体及びプロセッサは、ディスクリートコンポーネントとして無線基地局ＤｅＮＢやリレーノードＲＮや移動局ＵＥ内に設けられていてもよい。
【００６６】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【００６７】
ＲＮ…リレーノード
１１…受信部
１２…決定部
１３…送信部
ＤｅＮＢ…無線基地局
【図１】
2011004376.tif 000003
【図２】
2011004376.tif 000004
【図３】
2011004376.tif 000005
【図４】
2011004376.tif 000006
【図５】
2011004376.tif 000007
【図６】
2011004376.tif 000008
【図７】
2011004376.tif 000009
【図８】
2011004376.tif 000010